(57)【要約】【課題】  電流遮断装置を小型化することが可能な技術を提供する。【解決手段】  本明細書は、電流遮断装置を開示する。その電流遮断装置は、電池要素と電池端子の間に配置されており、電池要素側接続部と電池端子側接続部とを有し、電池要素側接続部と電池端子側接続部とが接続されて電池端子から電池要素への導電を許容する第１状態から電池要素側接続部と電池端子側接続部とが離間して電池端子から電池要素への導電を遮断する第２状態へ変形可能な変形部材と、制御電圧を印加することで、電池要素側接続部および電池端子側接続部の少なくとも一方を付勢し変形部材を第１状態から第２状態へ変形させるアクチュエータと、電池端子へ印加される電圧が上限電圧を越えると、アクチュエータに制御電圧を印加する切換装置を備えている。【選択図】図１
2013187070.tif 000002
【特許請求の範囲】
【請求項１】
電池要素と電池端子の間に配置されており、電池要素側接続部と電池端子側接続部とを有し、前記電池要素側接続部と前記電池端子側接続部とが接続されて前記電池端子から前記電池要素への導電を許容する第１状態から前記電池要素側接続部と前記電池端子側接続部とが離間して前記電池端子から前記電池要素への導電を遮断する第２状態へ変形可能な変形部材と、
制御電圧を印加することで、前記電池要素側接続部および前記電池端子側接続部の少なくとも一方を付勢し前記変形部材を前記第１状態から前記第２状態へ変形させるアクチュエータと、
前記電池端子へ印加される電圧が上限電圧を越えると、前記アクチュエータに前記制御電圧を印加する切換装置を備える電流遮断装置。
【請求項２】
前記アクチュエータが、前記制御電圧を印加することで変形する圧電素子を備える、請求項１の電流遮断装置。
【請求項３】
前記圧電素子が、前記電池端子側接続部を前記電池要素とは反対方向に付勢する請求項２の電流遮断装置。
【請求項４】
前記変形部材が、前記電池要素側接続部または前記電池端子側接続部が破断することで前記第２状態へ変形する請求項１から３の何れか一項の電流遮断装置。
【請求項５】
前記切換装置が、ツェナーダイオードを備える、請求項１から４の何れか一項の電流遮断装置。
【請求項６】
前記切換装置が、トランジスタをさらに備えており、
前記ツェナーダイオードが、前記電池要素に対して並列に接続されており、
前記トランジスタと前記アクチュエータを直列に接続したものが、前記電池要素と前記ツェナーダイオードのそれぞれに対して並列に接続されており、
前記ツェナーダイオードの降伏に応じて前記トランジスタが駆動する請求項５の電流遮断装置。
【請求項７】
前記ツェナーダイオードと前記アクチュエータを直列に接続したものが、前記電池要素に対して並列に接続されている請求項５の電流遮断装置。
【請求項８】
請求項１から７の何れか一項の電流遮断装置と、前記電池要素と、前記電池端子を備える蓄電装置。
【請求項９】
請求項８の蓄電装置の構造を備えた二次電池。
【請求項１０】
請求項８の蓄電装置を搭載した車両。
【発明の詳細な説明】
【技術分野】
【０００１】
本発明は、電流遮断装置、蓄電装置および車両に関する。
【背景技術】
【０００２】
リチウムイオン二次電池等の二次電池においては、電池要素を過充電から保護するために、電流遮断装置が設けられることがある。特許文献１には、電流遮断装置が組み込まれた蓄電装置が開示されている。特許文献１の技術では、電池要素と並列にツェナーダイオードを設けて、かつ電池要素と電池端子の間に温度ヒューズを設ける。特許文献１の技術では、電池端子に印加される充電電圧が上限電圧を越えると、ツェナーダイオードの発熱によって温度ヒューズを溶断して、電池要素と電池端子の間の導電を遮断し、電池要素への過充電を防止する。
【先行技術文献】
【特許文献】
【０００３】
【特許文献１】特開２００３−２８４２３７号公報
【発明の概要】
【発明が解決しようとする課題】
【０００４】
特許文献１の技術では、電池要素から通常の放電を行う場合や、電池端子に印加される充電電圧が上限電圧を下回っている場合でも、温度ヒューズには大電流が流れる。このため、このような場合に溶断しないように大型の温度ヒューズを使用する必要があり、電流遮断装置および蓄電装置の大型化を招いている。電流遮断装置をより小型化することが可能な技術が期待されている。
【０００５】
本明細書は上記課題を解決する技術を提供する。本明細書では、電流遮断装置を小型化することが可能な技術を提供する。
【課題を解決するための手段】
【０００６】
本明細書は、電流遮断装置を開示する。その電流遮断装置は、電池要素と電池端子の間に配置されており、電池要素側接続部と電池端子側接続部とを有し、電池要素側接続部と電池端子側接続部とが接続されて電池端子から電池要素への導電を許容する第１状態から電池要素側接続部と電池端子側接続部とが離間して電池端子から電池要素への導電を遮断する第２状態へ変形可能な変形部材と、制御電圧を印加することで、電池要素側接続部および電池端子側接続部の少なくとも一方を付勢し変形部材を第１状態から第２状態へ変形させるアクチュエータと、電池端子へ印加される電圧が上限電圧を越えると、アクチュエータに制御電圧を印加する切換装置を備えている。
【０００７】
上記の電流遮断装置では、電池端子に印加される充電電圧が上限電圧を越えると、アクチュエータが駆動して変形部材を第１状態から第２状態に変形させて、電池端子から電池要素への導電を遮断することで、電池要素への過充電を防止する。上記の電流遮断装置では、電池要素と電池端子の間の電流経路上に温度ヒューズを設ける必要がないので、装置が大型化することがない。電流遮断装置を小型化することができる。なお、電池要素側接続部と電池端子側接続部は別体に形成されていてもよいし、一体に形成されていてもよい。
【０００８】
上記の電流遮断装置は、アクチュエータが制御電圧を印加することで変形する圧電素子を備えることが好ましい。
【０００９】
上記の電流遮断装置によれば、アクチュエータを簡素化および小型化することができる。
【００１０】
上記の電流遮断装置は、圧電素子が、電池端子側接続部を電池要素とは反対方向に付勢することが好ましい。
【００１１】
上記の電流遮断装置によれば、圧電素子によって電池端子側接続部を電池端子側接続部から確実に離間させることができる。
【００１２】
上記の電流遮断装置は、変形部材が、電池要素側接続部または電池端子側接続部が破断することで第２状態へ変形することが好ましい。
【００１３】
第２状態において変形部材が破断する構成としておけば、アクチュエータへ制御電圧が印加されなくなった後も、電池端子から電池要素への導電が遮断された状態に維持される。上記の電流遮断装置によれば、チャタリングの発生を防止することができる。
【００１４】
上記の電流遮断装置は、切換装置がツェナーダイオードを備えることが好ましい。
【００１５】
上記の電流遮断装置によれば、ツェナーダイオードの降伏現象を利用して充電電圧が上限電圧を超えるか否かを判別することができるので、簡素な構成で切換装置を構成することができる。
【００１６】
上記の電流遮断装置は、切換装置が、トランジスタをさらに備えており、ツェナーダイオードが、電池要素に対して並列に接続されており、トランジスタとアクチュエータを直列に接続したものが、電池要素とツェナーダイオードのそれぞれに対して並列に接続されており、ツェナーダイオードの降伏に応じてトランジスタが駆動することが好ましい。
【００１７】
上記の電流遮断装置によれば、ツェナーダイオードとアクチュエータが直列に接続されていないので、アクチュエータにおける電圧降下の影響がツェナーダイオードに及ぶことを防ぐことができる。電流遮断装置の上限電圧を所望の値に調整することが容易となる。
【００１８】
あるいは、上記の電流遮断装置は、ツェナーダイオードとアクチュエータを直列に接続したものが、電池要素に対して並列に接続されていることが好ましい。
【００１９】
上記の電流遮断装置によれば、簡素な構成で切換装置を実現することができる。
【００２０】
本明細書は、上記の電流遮断装置と、電池要素と、電池端子を備える蓄電装置も開示する。
【００２１】
本明細書は、上記の蓄電装置の構想を備えた二次電池も開示する。
【００２２】
本明細書は、上記の蓄電装置を搭載した車両も開示する。
【発明の効果】
【００２３】
本明細書が開示する技術によれば、電流遮断装置を小型化することができる。
【図面の簡単な説明】
【００２４】
【図１】実施例１，３の蓄電装置２，６２の回路構成を示す。
【図２】実施例１の蓄電装置２の機械的な構成の一部を示す。
【図３】実施例１の蓄電装置２の機械的な構成の一部を示す。
【図４】実施例２の蓄電装置５２の回路構成を示す。
【図５】実施例３の蓄電装置６２の機械的な構成の一部を示す。
【図６】実施例３の蓄電装置６２の機械的な構成の一部を示す。
【図７】実施例４の蓄電装置９２の回路構成を示す。
【発明を実施するための形態】
【００２５】
（実施例１）
図１に示すように、本実施例の蓄電装置２は、電池端子４ａ，４ｂと、電池要素１０と、電流遮断装置１２を備えている。電流遮断装置１２は、遮断回路１４と、切換回路１６を備えている。本実施例の電池要素１０は、例えばニッケル水素電池やリチウムイオン電池等の二次電池である。蓄電装置２は、ハイブリッド自動車や電気自動車等の車両に搭載されて、車輪を回転駆動するモータに電池要素１０の電力を供給する。また、蓄電装置２は、モータが回生発電した電力によって電池要素１０への充電を行う。
【００２６】
遮断回路１４は、電池要素１０が充放電する電流が流れるメイン端子１８ａ，１８ｂと、メイン端子１８ａ，１８ｂの間の導通および非導通を切り換える制御端子２０ａ，２０ｂを備えている。制御端子２０ａ，２０ｂの間に制御電圧が印加されない状態では、メイン端子１８ａ，１８ｂの間は電気的に導通している。制御端子２０ａ，２０ｂの間に制御電圧が印加されると、メイン端子１８ａ，１８ｂの間の導通を遮断する。
【００２７】
切換回路１６は、蓄電装置２への充電電圧の大きさに応じて、遮断回路１４の制御端子２０ａ，２０ｂへの入力を切り換える。蓄電装置２への充電電圧が所定の上限電圧に満たない場合には、切換回路１６は制御端子２０ａ，２０ｂの間に制御電圧を印加しない。蓄電装置２への充電電圧が上限電圧を超えると、切換回路１６は制御端子２０ａ，２０ｂの間に制御電圧を印加する。
【００２８】
より具体的には、切換回路１６は、ツェナーダイオード２２と、抵抗器２４ａ，２４ｂ，２４ｃ，２４ｄと、トランジスタ２６を備えている。ツェナーダイオード２２のカソードは電池要素１０の正極に接続している。抵抗器２４ａは、ツェナーダイオード２２のアノードと電池要素１０の負極の間を接続している。遮断回路１４の制御端子２０ａは電池要素１０の正極に接続しており、抵抗器２４ｄは、遮断回路１４の制御端子２０ｂとトランジスタ２６のコレクタの間を接続している。トランジスタ２６のエミッタは、電池要素１０の負極に接続している。抵抗器２４ｂは、ツェナーダイオード２２のアノードとトランジスタ２６のベースの間を接続している。抵抗器２４ｃは、トランジスタ２６のベースとトランジスタ２６のエミッタの間を接続している。
【００２９】
上記の構成の切換回路１６では、蓄電装置２への充電電圧がツェナーダイオード２２の降伏電圧より小さい場合には、ツェナーダイオード２２に電流が流れない。そのため、トランジスタ２６のベースとエミッタが同電位に保たれ、トランジスタ２６のコレクタとエミッタの間も電流が流れない。従って、遮断回路１４の制御端子２０ａ，２０ｂの間に制御電圧が印加されず、メイン端子１８ａ，１８ｂの間の導通が維持される。
【００３０】
蓄電装置２への充電電圧がツェナーダイオード２２の降伏電圧を上回ると、ツェナーダイオード２２に電流が流れる。これにより、トランジスタ２６のベースとエミッタの間に電位差が生じ、トランジスタ２６のコレクタとエミッタの間も電流が流れる。これにより、遮断回路１４の制御端子２０ａ，２０ｂの間に制御電圧が印加され、メイン端子１８ａ，１８ｂの間の導通が遮断される。
【００３１】
図２は蓄電装置２の機械的な構成の一部を示している。本実施例では、蓄電装置２は、電極構造体３０と、集電板３２と、絶縁板３４と、導電板３６と、電池端子３８と、絶縁性のガスケット４０と、ケース４２を備えている。電極構造体３０および集電板３２は、電池要素１０の一部を構成しており、集電板３２は電池要素１０の正極に相当している。電池端子３８は、図１の電池端子４ａに相当している。電極構造体３０は、ケース４２に収容されている。集電板３２は電極構造体３０から直上に向けて伸びており、絶縁板３４の下面と当接しながら側方へ屈曲している。絶縁板３４、導電板３６、電池端子３８は、ガスケット４０を介してケース４２の上部に形成された開口に嵌合されている。導電板３６と電池端子３８は、導電板３６の端部において当接している。絶縁板３４の中央には開口が形成されている。導電板３６の中央には下方に向けて突出する凸部が形成されており、その凸部が絶縁板３４の開口を通って集電板３２と当接している。導電板３６と集電板３２は、当接部分において固着されている。電極構造体３０と電池端子３８は、集電板３２および導電板３６を介して電気的に接続している。
【００３２】
絶縁板３４と導電板３６の間に、圧電素子４４が配置されている。圧電素子４４は、制御端子２０ａ，２０ｂ（図１参照）に接続されている。圧電素子４４は、制御端子２０ａ，２０ｂに制御電圧が印加されると、導電板３６を絶縁板３４から離れる方向（図２の上方向）に付勢し、導電板３６を変形させる。集電板３２および導電板３６は変形部材ということができ、集電板３２は電池要素側接続部ということができ、導電板３６は電池端子側接続部ということができる。圧電素子４４はアクチュエータということができる。
【００３３】
図２に示すように、制御端子２０ａ，２０ｂに制御電圧が印加されない状態では、圧電素子４４が駆動せず、導電板３６が変形しないため、集電板３２と導電板３６の当接が維持される。この場合、電極構造体３０と電池端子３８の間の導電が確保されており、言い換えると、図１の電池要素１０と電池端子４ａの間の導電が確保されている。
【００３４】
図３に示すように、制御端子２０ａ，２０ｂに制御電圧が印加されると、圧電素子４４が駆動して、導電板３６を絶縁板３４から引き離す方向へ変形させる。導電板３６の凸部が絶縁板３４の開口から引き抜かれ、集電板３２の導電板３６と固着した部分が破断する。これにより、電極構造体３０と電池端子３８の間の導電が遮断され、言い換えると、図１の電池要素１０と電池端子４ａの間の導電が遮断される。なお、本実施例では、アクチュエータである圧電素子４４と変形部材である集電板３２は一旦動作すると元の状態には戻らないため、その後に圧電素子４４へ制御電圧が印加されなくなっても、電極構造体３０と電池端子３８の間の導電が遮断された状態が維持される。
【００３５】
以上のように、本実施例によれば、蓄電装置２への充電電圧が所定値を超えると、電池要素１０と電池端子４ａの間の導電が遮断される。このような構成とすることによって、電池要素１０への過充電を防止することができる。
【００３６】
本実施例の蓄電装置２では、大電流が流れる箇所にヒューズ等を設けることなく、電池要素１０への過充電を防止することができる。装置全体を小型化することができる。
【００３７】
なお、上記の実施例では、圧電素子４４の駆動時に集電板３２が破断することで、圧電素子４４へ制御電圧が印加されなくなった後も、電極構造体３０と電池端子３８の間の導電が遮断された状態が維持される構成について説明した。これとは異なり、例えば導電板３６と集電板３２を固着せずに当接させておいて、圧電素子４４の駆動時のみ導電を遮断し、圧電素子４４へ制御電圧が印加されなくなった後は、再び電極構造体３０と電池端子３８の間の導通を許容する構成としてもよい。上記の実施例のように、圧電素子４４へ制御電圧が印加されなくなった後も、電極構造体３０と電池端子３８の間の導電が遮断された状態が維持される構成とした場合、電流遮断装置１２におけるチャタリングの発生を防止することができる。
【００３８】
（実施例２）
以下では実施例１と同様の構成については、同一の参照符号を付して詳細な説明を省略する。図４に示すように、本実施例の蓄電装置５２は、電池端子４ａ，４ｂと、電池要素１０と、電流遮断装置５４を備えている。電流遮断装置５４は、遮断回路１４と、切換回路５６を備えている。本実施例の蓄電装置５２は、実施例１の蓄電装置２と、切換回路５６の構成のみが異なっている。
【００３９】
切換回路５６は、ツェナーダイオード２２と、抵抗器２４ａを備えている。ツェナーダイオード２２のカソードは遮断回路１４の制御端子２０ｂに接続している。抵抗器２４ａは、ツェナーダイオード２２のアノードと電池要素１０の負極の間を接続している。
【００４０】
上記構成の切換回路５６では、蓄電装置５２への充電電圧がツェナーダイオード２２の降伏電圧より小さい場合には、ツェナーダイオード２２に電流が流れない。そのため、遮断回路１４の制御端子２０ａ，２０ｂの間に制御電圧が印加されず、メイン端子１８ａ，１８ｂの間の導通が維持される。
【００４１】
蓄電装置５２への充電電圧がツェナーダイオード２２の降伏電圧を上回ると、ツェナーダイオード２２に電流が流れる。これにより、遮断回路１４の制御端子２０ａ，２０ｂの間に電圧が印加され、メイン端子１８ａ，１８ｂの間の導通が遮断される。
【００４２】
なお、本実施例の蓄電装置５２では、ツェナーダイオード２２が制御端子２０ａ，２０ｂに対して直列に接続されている。このため、本実施例の蓄電装置５２における上限電圧は、実施例１の蓄電装置２の上限電圧に比べて、制御端子２０ａ，２０ｂの間の電圧降下の分だけ高くなる。
【００４３】
本実施例の蓄電装置５２では、簡素な構成の切換回路５６を用いて、電池要素１０への過充電を防止することができる。
【００４４】
（実施例３）
以下では実施例１，２と同様の構成については、同一の参照符号を付して詳細な説明を省略する。図１に示すように、本実施例の蓄電装置６２は、電池端子４ａ，４ｂと、電池要素１０と、電流遮断装置８６を備えている。電流遮断装置８６は、遮断回路８４と、切換回路１６を備えている。
【００４５】
図５は蓄電装置６２の機械的な構成の一部を示している。本実施例では、蓄電装置６２は、電極構造体６４と、集電板６６と、導電板６８と、電流制限板７０と、導電性の緩衝部材７２と、絶縁体７４と、電池端子７６と、絶縁性のガスケット７８と、ケース８０を備えている。電極構造体６４および集電板６６は、電池要素１０の一部を構成しており、集電板６６は電池要素１０の正極に相当している。電池端子７６は、図１の電池端子４ａに相当している。電極構造体６４は、ケース８０に収容されている。集電板６６は電極構造体６４から上方に向けて屈曲しながら伸びており、導電板６８の中央の下面と当接している。導電板６８、電流制限板７０、緩衝部材７２、絶縁体７４、電池端子７６は、ガスケット７８を介してケース８０の上方に形成された開口に嵌合されている。電流制限板７０、緩衝部材７２、絶縁体７４は、導電板６８と電池端子７６の間に挟み込まれている。電流制限板７０は、２枚の金属薄板の間にカーボンとポリマーの混合物を入れて製造されている。電極構造体６４と電池端子７６は、集電板６６、導電板６８、電流制限板７０、緩衝部材７２を介して電気的に接続している。
【００４６】
導電板６８は中央が下方に窪んだ形状に形成されている。導電板６８の中央近傍において、導電板６８と電流制限板７０の間に、圧電素子８２が配置されている。圧電素子８２は、制御端子２０ａ，２０ｂ（図１参照）に接続されている。また、導電板６８には、圧電素子８２の配置部分と、集電板６６との当接部分を囲うように、切り込み６８ａが形成されている。圧電素子８２は、制御端子２０ａ，２０ｂに制御電圧が印加されると、導電板６８を電流制限板７０に近づける方向（図５の上方向）に付勢し、導電板６８を変形させる。圧電素子８２により変形させられた導電板６８は、切り込み６８ａにおいて破断する。集電板６６および導電板６８は変形部材ということができ、集電板６６は電池要素側接続部ということができ、導電板６８は電池端子側接続部ということができる。圧電素子８２はアクチュエータということができる。
【００４７】
図５に示すように、制御端子２０ａ，２０ｂに制御電圧が印加されない状態では、圧電素子８２が駆動せず、導電板６８が変形による破断を生じない。この場合、電極構造体６４と電池端子７６の間の導電が確保されており、言い換えると、図１の電池要素１０と電池端子４ａの間の導電が確保されている。
【００４８】
図６に示すように、制御端子２０ａ，２０ｂに制御電圧が印加されると、圧電素子８２が駆動して、導電板６８が変形により破断する。これにより、電極構造体６４と電池端子７６の間の導電が遮断され、言い換えると、図１の電池要素１０と電池端子４ａの間の導電が遮断される。なお、本実施例では、アクチュエータである圧電素子８２と変形部材である導電板６８は一旦動作すると元の状態に戻らないため、その後に圧電素子８２へ制御電圧が印加されなくなっても、電極構造体６４と電池端子７６の間の導電が遮断された状態が維持される。
【００４９】
以上のように、本実施例によれば、蓄電装置６２への充電電圧が所定値を超えると、電池要素１０と電池端子４ａの間の導電が遮断される。このような構成とすることによって、電池要素１０への過充電を防止することができる。
【００５０】
（実施例４）
以下では実施例１と同様の構成については、同一の参照符号を付して詳細な説明を省略する。図７に示すように、本実施例の蓄電装置９２は、電流遮断装置９８を備えている。電流遮断装置９８では、切換回路９６が遮断回路１４よりも電池端子４ａ，４ｂ側に配置されている。また、切換回路９６は、電池端子４ａ，４ｂの間に直列に接続された抵抗器９４およびキャパシタ９０を備えており、ツェナーダイオード２２のカソードが抵抗器９４とキャパシタ９０の接続部に接続されている。
【００５１】
本実施例の蓄電装置９２では、遮断回路１４においてメイン端子１８ａ，１８ｂの間の導通が遮断されると、電池要素１０には電流が流れなくなるが、切換回路９６の抵抗器９４，ツェナーダイオード２２，抵抗器２４ａ，２４ｂ，２４ｃを介して、電池端子４ａ，４ｂ間で電流経路が形成される。従って、蓄電装置９２を組電池として使用する場合、電流遮断装置９８が動作して遮断回路１４における導電が遮断された後も、電池端子４ａ，４ｂ間の導電を確保することができ、組電池を出力を落とした状態で使用し続けることができる。
【００５２】
なお、上記の実施例１−４では、アクチュエータとして、圧電素子を利用する構成について説明したが、アクチュエータとしては、例えばソレノイド等の他の種類のものを用いることもできる。
【００５３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００５４】
２  蓄電装置
４ａ，４ｂ  電池端子
１０  電池要素
１２  電流遮断装置
１４  遮断回路
１６  切換回路
１８ａ，１８ｂ  メイン端子
２０ａ，２０ｂ  制御端子
２２  ツェナーダイオード
２４ａ，２４ｂ，２４ｃ，２４ｄ  抵抗器
２６  トランジスタ
３０  電極構造体
３２  集電板
３４  絶縁板
３６  導電板
３８  電池端子
４０  ガスケット
４２  ケース
４４  圧電素子
５２  蓄電装置
５４  電流遮断装置
５６  切換回路
６２  蓄電装置
６４  電極構造体
６６  集電板
６８  導電板
７０  電流制限板
７２  緩衝部材
７４  絶縁体
７６  電池端子
７８  ガスケット
８０  ケース
８２  圧電素子
８４  電流遮断装置
９０  キャパシタ
９２  蓄電装置
９４  抵抗器
９６  切換回路
９８  電流遮断装置
【図１】
2013187070.tif 000003
【図２】
2013187070.tif 000004
【図３】
2013187070.tif 000005
【図４】
2013187070.tif 000006
【図５】
2013187070.tif 000007
【図６】
2013187070.tif 000008
【図７】
2013187070.tif 000009